(57)【要約】    【課題】  非使用時に、軸筒より突出した棒状物を没入（収納）するためには、繰り出し時とは反対の方向に先筒と後筒を回転させる必要があった。即ち、突出操作時は勿論、没入操作時においても、その使用の都度両方の手で回転操作を行わなければならず、非常に面倒な操作となってしまっていた。特に、使用時においては、そのほとんどの場合がいつも使用している長さ（突出長）に調整するため、その調整に煩わしさがあった。    【構成】  軸筒を前軸と後軸から構成すると共に、それらを相対的に回転可能に連結した棒状体繰り出し容器であって、前記軸筒内に中軸を回転不能ではあるが、出没機構によって前後動可能に配置し、また、その中軸に繰り出し棒を螺合させるが、前記前軸に対しては回転不能に配置し、その繰り出し棒に棒状物を着脱自在に取り付け、さらに、前記中軸を弾発部材によって後方に付勢した棒状体繰り出し容器。【選択図】  図２
2007062122.tif 000002
【特許請求の範囲】
【請求項１】
軸筒を前軸と後軸から構成すると共に、それらを相対的に回転可能に連結した棒状体繰り出し容器であって、前記軸筒内に中軸を回転不能ではあるが、出没機構によって前後動可能に配置し、また、その中軸に繰り出し棒を螺合させるが、前記前軸に対しては回転不能に配置し、その繰り出し棒に棒状体を着脱自在に取り付け、さらに、前記中軸を弾発部材によって後方に付勢したことを特徴とする棒状体繰り出し容器。
【請求項２】
前記出没機構を後軸の後端から突出させたノック部材と中軸との係合により構成したことを特徴とする請求項１記載の棒状体繰り出し容器。
【請求項３】
前記出没機構を摺動子と回転子から構成されるロータリーカム機構としたことを特徴とする請求項１、或いは、請求項２に記載の棒状態繰り出し容器。
【請求項４】
前記出没機構を後軸に対して回転不能に配置したノック部材の傾斜面と中軸との係合により構成したことを特徴とする棒状体繰り出し容器。
【発明の詳細な説明】
【技術分野】
【０００１】
本発明は、軸筒を前軸と後軸から構成すると共に、それらを相対的に回転可能に連結した棒状体繰り出し容器に関するものであり、その棒状体の１例として消しゴムやリップスティック、修正棒、筆記芯、棒状糊、固型描画材などが挙げられる。
そして、それらの棒状物を回転操作により、所望の量を容器から出没させることができ、また、非使用時には前記回転操作とは別の出没操作により、一定量、容器内に没入、或いは、突出させる機構を備えた棒状体繰り出し容器に関する。
【背景技術】
【０００２】
１例として、先筒と後筒とが相対回転自在に連結され、棒状物を保持すると共に該先筒に対して軸線方向に移動可能な棒状物ホルダーが該先筒内に配設されており、先筒と後筒との間の相対回転により棒状物ホルダーが先筒内を軸線方向に移動して棒状物を繰り出す棒状物繰り出し容器において、棒状物ホルダーが先筒に対して相対回転不能に結合され、棒状物ホルダーと後筒とがネジ結合された棒状物繰り出し容器が幅広く知られている。
【特許文献１】実開平１０−１８４号公報
【特許文献２】特開平１１−２８６１９７号公報
【発明の開示】
【発明が解決しようとする課題】
【０００３】
しかしながら、上記棒状物繰り出し容器にあっては、非使用時に、軸筒より突出した棒状物を没入（収納）するためには、繰り出し時とは反対の方向に先筒と後筒を回転させる必要があった。即ち、突出操作時は勿論、没入操作時においても、その使用の都度両方の手で回転操作を行わなければならず、非常に面倒な操作となってしまっていた。
特に、使用時においては、そのほとんどの場合がいつも使用している長さ（突出長）に棒状物を調整するため、その調整に煩わしさがあった。
【課題を解決するための手段】
【０００４】
本発明は、軸筒を前軸と後軸から構成すると共に、それらを相対的に回転可能に連結した棒状体繰り出し容器であって、前記軸筒内に中軸を回転不能ではあるが、出没機構によって前後動可能に配置し、また、その中軸に繰り出し棒を螺合させるが、前記前軸に対しては回転不能に配置し、その繰り出し棒に棒状物を着脱自在に取り付け、さらに、前記中軸を弾発部材によって後方に付勢したことを要旨とする
【発明の効果】
【０００５】
本発明では、軸筒を前軸と後軸から構成すると共に、それらを相対的に回転可能に連結した棒状体繰り出し容器であって、前記軸筒内に中軸を回転不能ではあるが、出没機構によって前後動可能に配置し、また、その中軸に繰り出し棒を螺合させるが、前記前軸に対しては回転不能に配置し、その繰り出し棒に棒状物を着脱自在に取り付け、さらに、前記中軸を弾発部材によって後方に付勢したので、適度な突出長さで使用者が使用し、非使用時に、軸筒の後方に設けた出没機構により一定量収納することが可能であり、簡単な操作で、突出状態から没入（収納）状態に移行することが可能であり、また、没入状態から突出状態にも簡単に移行することができると共に、再び突出させたときの長さが最後に使用した長さとなる。
【発明を実施するための最良の形態】
【０００６】
図１〜図４に本発明の１例を示し説明する。軸筒３８は、前軸１と後軸４から構成されているが、それら前軸１と後軸４は相対的に回転自在に連結されている。その連結手段としては、前軸１に係合段部３を形成し、後軸４に係合溝６を形成し、それらを嵌合させて、所謂凹凸嵌合を採用しているが、これに限定されるものではない。前記軸筒３８内には、棒状体８が着脱自在に取り付けられたネジ状部材９を配置してある。本例においては、前記棒状体８を使用に応じて磨耗する消しゴムとしているが、リップスティックや修正棒、比較的太い色鉛筆芯などの筆記芯、棒状糊、或いは、クレヨンなどの固型描画材であってもよい。
前記ネジ状部材９には、外側面に長手方向に伸びた雄ネジ１０を形成するとともに、その雄ネジ１０の側面に係合溝１１を長手方向に形成している。そして、前記前軸１の内方には内方突起２が形成されており、前記ネジ状部材９の係合溝１１と回転不能に係合している。尚、前記雄ネジ１０は、１条ネジであるが、棒状体８の突出量の調整が比較的ラフであるならば、２条ネジや３条ネジなどとしてもよい。
前記後軸４の内側には前記ネジ状部材９の雄ネジ１０に螺合する雌ネジ部１４が形成された摺動中子１３が配置されている。その摺動中子１３の外側面には、長手方向に伸びる係合突起１６が形成されており、その係合突起１６は、前記後軸４の内壁面に形成した長手方向に伸びる係合溝５に係合している。これによって、摺動中子１３と後軸４は回転不能ではあるが、長手方向に摺動可能に配置されている。
前軸１と後軸４との相対回転により、ネジ状部材９が摺動中子１３との螺合により、軸筒内を長手方向に移動して棒状体８を繰り出す。
前記摺動中子１３は、軸筒３８内に配置された弾発部材１２により常に後端側に向けて付勢されており、その摺動中子１３の後方には出没機構３９が配置されている。その出没機構３９の出没操作により、前記摺動中子１３を前進あるいは後退させ、棒状体８を軸筒から突出あるいは収納させることができる。
【０００７】
次に、前記出没機構について説明する。前記後軸４の内壁にカム溝前部形成部材１７とカム溝後部形成部材２４とで、全周に閉じた環状のカム溝３６を形成する。そのカム溝３６には前進位置を維持する前方係止部２８と、後退位置を維持する後方係止部２９を形成すると共に、前方係止部２８の対岸近傍に回転子突起２２の方向を規制する段部３３を形成してある。
また、カム溝３６の内側には、回転子２１が配置されており、その回転子２１にはカム溝３６内のカム面３７規制されて回転摺動する突起２２が形成してある。また、回転子２１の後方にはノック部材３１が前記軸筒２８の後端から突出した状態で配置されている。そのノック部材３１の外側面には係合突起３２が形成されており、前記カム溝後部形成部材２４の内方に形成した係合溝３０に係合している。この係合によって、ノック部材３１がカム溝後部形成部材２４（後軸４）に対して回転不能に取り付けられる共に、カム溝後部形成部材２４の後方内面に形成した係止段部３４とノック部材３１に形成した係止段部３５により、後方への移動が規制されている。
また、軸筒３８内には弾発部材１２が配置されており、前記摺動中子１３を介して回転子２１を常に後方に向けて付勢している。
【０００８】
次に作用について説明する。棒状体８の没入（収納）状態で、ノック部材３１と押圧すると、ノック部材３１が回転子２１に当接し、弾発部材１２の付勢に抗して、回転子２１は回転子突起２２がカム面３７に規制され回転しながら前方係止部近傍の段部３３まで前進する。回転子２１の前進により、摺動中子１３も前進し、摺動中子１３に螺合されているネジ状部材９が前進することにより、棒状体８が突出状態になる。この状態でノック部材３１の押圧を解除すると、回転子２１は後方に付勢されるが、段部３３により回転子突起２２が前方係止部２８に当接し、棒状体８の突出状態が維持される。
この棒状体８の突出状態で、ノック部材３１を押圧すると、ノック部材３１が回転子２１に当接し、弾発部材１２の付勢に抗して回転子２１の回転子突起２２は段部３３に規制されながら僅かに回転前進し係止する。その回転子２１の僅かな前進により、摺動中子１３、ネジ状部材９及び棒状体８も僅かに前進する。この状態でノック部材３１の押圧を解除すると、回転子２１は摺動中子１３を介した弾発部材の付勢により、回転子突起２２はカム溝３６内をカム面３７に規制され回転しながら摺動中子１３と共に後退する。その摺動中子１３の後退により、螺合されているネジ状部材９、並びにそのネジ状部材９に取り付けられた棒状体８も同時に後退する。このとき、前記回転子突起２２は後方係止部２９に当接し、後退動作が完了する。その結果、元の位置である棒状体８の没入（収納）状態を維持する。
ここで、再びノック部材３１を押圧すると、棒状体８は前記没入する前の突出量を維持した状態で突出する。
尚、本例にける出没機構はカム溝３６を形成すると共に、そのカム溝に係合する摺動子２１を設けたが、摺動子と回転子とからなる、所謂デビットカーンと称されるロータリーカムを使用してもよく、また、軸筒内に形成した内方突起と、ほぼハート型に形成したカム面とを摺接させた、所謂ハートカムを使用してもよく、さらには、後軸とその後軸の後方に設けた第３の軸体との相対的な回転による繰り出し機構を用いてもよい。
また、前記摺動中子の側面、或いは、摺動中子と一体に作動する部材の側面に形成したボタン状突起を、後軸側面に形成した窓穴より突出係止させ、棒状体の突出状態を維持し、ボタン状突起を後軸側面から押圧することで前記の係止を解除し棒状体を没入（収納）状態にするような機構としてもよい。
【図面の簡単な説明】
【０００９】
【図１】本発明の第１例の棒状体の収納状態を示す半断面図である。
【図２】本発明の第１例の棒状体の突出状態を示す半断面図である。
【図３】本発明の第１例の棒状体の出状態で繰り出し状態を示す半断面図である。
【図４】本発明の第１例の要部分解斜視図である。
【図５】図４を中心軸線に対して９０度回転させた要部分解斜視図である。
【図６】本発明の第１例の収納状態を示す要部分組み立て斜視図である。
【図７】図６を中心軸線に対して９０度回転させた要部分組み立て斜視図である。
【図８】本発明の第１例の突出状態を示す要部分組み立て斜視図である。
【図９】図８を中心軸線に対して９０度回転させた要部分組み立て斜視図である。
【符号の説明】
【００１０】
１  前軸
２  内方突起
３  係合段部
４  後軸
５  係合溝
６  係合溝
７  バネ受け
８  棒状体
９  ネジ状部材
１０  雄ネジ部
１１  係合溝
１２  弾発部材
１３  摺動中子
１４  雌ねじ部
１５  バネ受け
１６  係合突起
１７  カム溝前部形成部材
１８  カム面
１９  係合突起
２０  係合突起
２１  回転子
２２  突起
２３  係止部
２４  カム溝後部形成部材
２５  係合突起
２６  カム面
２７  係合突起
２８  前方係止部
２９  後方係止部
３０  係合溝
３１  ノック部材
３２  係合突起
３３  段部
３４  係止段部
３５  係止段部
３６  カム溝
３７  カム面
３８  軸筒
３９  出没機構
【図１】
2007062122.tif 000003
【図２】
2007062122.tif 000004
【図３】
2007062122.tif 000005
【図４】
2007062122.tif 000006
【図５】
2007062122.tif 000007
【図６】
2007062122.tif 000008
【図７】
2007062122.tif 000009
【図８】
2007062122.tif 000010
【図９】
2007062122.tif 000011